(57)【特許請求の範囲】
【請求項１】
無線送受信ユニット（ＷＴＲＵ）に緊急信号を提供する方法であって、
リソース情報を受信するステップであって、前記リソース情報は、一次通知メッセージを含んでいる第１の地震および津波警報システム（ＥＴＷＳ）−システム情報ブロック（ＥＴＷＳ−ＳＩＢ）、ならびに、二次通知メッセージを含んでいる第２のＥＴＷＳ−ＳＩＢの複数のＥＴＷＳサブＳＩＢを受信するためのものであり、前記複数のＥＴＷＳサブＳＩＢは、前記第２のＥＴＷＳ−ＳＩＢの前記二次通知メッセージのセグメントを含む、ステップと、
前記リソース情報を使用して、第１の時間領域窓内で前記第１のＥＴＷＳ−ＳＩＢを、ならびに、第２の時間領域窓内で複数の非緊急メッセージおよび前記複数のＥＴＷＳサブＳＩＢを、別々の送信として受信するステップと
を備えたことを特徴とする方法。
【請求項２】
前記第１のＥＴＷＳ−ＳＩＢを処理して前記一次通知メッセージを復元するステップと、前記複数のＥＴＷＳサブＳＩＢを処理して前記二次通知メッセージを復元するステップとをさらに備え、前記ＥＴＷＳサブＳＩＢは、前記第２のＥＴＷＳ−ＳＩＢの前記二次通知メッセージを復元するために組み合わされることを特徴とする請求項１に記載の方法。
【請求項３】
動的スケジューリングを使用して、前記第１のＥＴＷＳ−ＳＩＢの前記一次通知メッセージ、および、前記第２のＥＴＷＳ−ＳＩＢの前記二次通知メッセージを受信するステップをさらに備えたことを特徴とする請求項１に記載の方法。
【請求項４】
前記第１のＥＴＷＳ−ＳＩＢの前記一次通知メッセージおよび前記第２のＥＴＷＳ−ＳＩＢの前記二次通知メッセージは、緊急システム情報送信期間にわたって分散されることを特徴とする請求項１に記載の方法。
【請求項５】
ページングメッセ−ジが、前記リソース情報を示すために使用されることを特徴とする請求項１に記載の方法。
【請求項６】
緊急信号を受信するように構成された無線送受信ユニット（ＷＴＲＵ）であって、
リソース情報を受信するように構成された受信機であって、前記リソース情報は、一次通知メッセージを含んでいる第１の地震および津波警報システム（ＥＴＷＳ）−システム情報ブロック（ＥＴＷＳ−ＳＩＢ）、ならびに、二次通知メッセージを含んでいる第２のＥＴＷＳ−ＳＩＢの複数のＥＴＷＳサブＳＩＢを受信するためのものであり、前記複数のＥＴＷＳサブＳＩＢは、前記第２のＥＴＷＳ−ＳＩＢの前記二次通知メッセージのセグメントを含む、受信機と、
前記リソース情報を使用して、第１の時間領域窓内で前記第１のＥＴＷＳ−ＳＩＢを、ならびに、第２の時間領域窓内で複数の非緊急メッセージおよび前記複数のＥＴＷＳサブＳＩＢを、別々の送信として受信するように構成された前記受信機と
を備えたことを特徴とするＷＴＲＵ。
【請求項７】
前記第１のＥＴＷＳ−ＳＩＢを処理して前記一次通知メッセージを復元し、および、前記複数のＥＴＷＳサブＳＩＢを処理して前記二次通知メッセージを復元するように構成されたプロセッサをさらに備え、前記ＥＴＷＳサブＳＩＢは、前記第２のＥＴＷＳ−ＳＩＢの前記二次通知メッセージを復元するために組み合わされることを特徴とする請求項６に記載のＷＴＲＵ。
【請求項８】
前記受信機は、動的スケジューリングを使用して、周期的に発生する時間領域窓内で前記第１のＥＴＷＳ−ＳＩＢの前記一次通知メッセージおよび前記第２のＥＴＷＳ−ＳＩＢの前記二次通知メッセージを受信するようにさらに構成されたことを特徴とする請求項６に記載のＷＴＲＵ。
【請求項９】
前記第１のＥＴＷＳ−ＳＩＢの前記一次通知メッセージおよび前記第２のＥＴＷＳ−ＳＩＢの前記二次通知メッセージは、緊急システム情報送信期間にわたって分散されることを特徴とする請求項６に記載のＷＴＲＵ。
【請求項１０】
ページングメッセ−ジが、前記リソース情報を示すために使用されることを特徴とする請求項６に記載のＷＴＲＵ。
【請求項１１】
緊急信号を送信するように構成された基地局（ＢＳ）であって、
リソース情報を送信するように構成された送信機であって、前記リソース情報は、一次通知メッセージを含んでいる第１の地震および津波警報システム（ＥＴＷＳ）−システム情報ブロック（ＥＴＷＳ−ＳＩＢ）、ならびに、二次通知メッセージを含んでいる第２のＥＴＷＳ−ＳＩＢの複数のＥＴＷＳサブＳＩＢを送信するためのものであり、前記複数のＥＴＷＳサブＳＩＢは、前記第２のＥＴＷＳ−ＳＩＢの前記二次通知メッセージのセグメントを含む、送信機と、
前記リソース情報に基づいて、第１の時間領域窓内で前記第１のＥＴＷＳ−ＳＩＢを、ならびに、第２の時間領域窓内で複数の非緊急メッセージおよび前記複数のＥＴＷＳサブＳＩＢを、別々の送信として送信し、無線送受信ユニット（ＷＴＲＵ）が、前記複数のＥＴＷＳサブＳＩＢを処理して、前記第２のＥＴＷＳ−ＳＩＢの前記二次通知メッセージを復元することができるようにさらに構成された前記送信機と
を備えたことを特徴とするＢＳ。
【請求項１２】
前記送信機は、動的スケジューリングを使用して、周期的に発生する時間領域窓内で前記第１のＥＴＷＳ−ＳＩＢの前記一次通知メッセージおよび前記第２のＥＴＷＳ−ＳＩＢの前記二次通知メッセージを送信するようにさらに構成されたことを特徴とする請求項１１に記載のＢＳ。
【請求項１３】
前記第１のＥＴＷＳ−ＳＩＢの前記一次通知メッセージおよび前記第２のＥＴＷＳ−ＳＩＢの前記二次通知メッセージは、緊急システム情報送信期間にわたって分散されることを特徴とする請求項１１に記載のＢＳ。
【請求項１４】
ページングメッセ−ジは、前記リソース情報を示すために使用されることを特徴とする請求項１１に記載のＢＳ。
【発明の詳細な説明】
【技術分野】
【０００１】
この出願は無線通信に関する。
【背景技術】
【０００２】
第３世代パートナーシッププロジェクト（３ＧＰＰ）は改善されたスペクトル効率及びより高速なユーザエクスペリエンスを提供するために、ロングタームエボリューション（ＬＴＥ）プログラムを開始し、新しい技術、新しいネットワークアーキテクチャ、新しい構成並びに無線ネットワークに対する新しいアプリケーション及びサービスをもたらしてきた。
【０００３】
図１は、従来技術に従うＥｖｏｌｖｅｄユニバーサル移動通信システム（ＵＭＴＳ）地上波アクセスネットワーク（Ｅ−ＵＴＲＡＮ）１００の概要を示す。図１に示すように、Ｅ−ＵＴＲＡＮ１００は３つのｅノードＢ（ｅＮＢ）１０２を含むが、任意の数のｅＮＢがＥ−ＵＴＲＡＮ１００に含まれてもよい。ｅＮＢ１０２はＸ２インタフェース１０８によって相互接続されている。ｅＮＢ１０２はＳ１インタフェース１０６によって、モビリティマネージメントエンティティ（ＭＭＥ）１１２及びサービングゲートウェイ（Ｓ-ＧＷ）１１０を含むＥｖｏｌｖｅｄパケットコア（ＥＰＣ）１０４とも接続されている。
【０００４】
システム情報（ＳＩ）はセル内にブロードキャストされ、少なくともいくつかの無線送受信ユニット（ＷＴＲＵ）に共通する構成及びパラメータについての情報を提供する。
【０００５】
セルにおいて、システム情報メッセージは、例えば、ネットワークＩＤ、隣接セル、チャネルの利用可能性、及び電力制御要求などのパラメータを含むことができる。
【発明の概要】
【発明が解決しようとする課題】
【０００６】
ＬＴＥには深刻な地震津波警報システム（ＥＴＷＳ）を含めることができる。ＥＴＷＳは無線電話ユーザに、迫り来る又は近隣の人為的災害又は自然災害を警告できる。ＬＴＥ無線アクセスネットワークにおいて、ＥＴＷＳ情報はシステム情報ブロードキャストを介して配信される。
【課題を解決するための手段】
【０００７】
緊急信号をＷＴＲＵに提供する方法及び装置を開示する。ＷＴＲＵは緊急メッセージ通知を含むシステム情報メッセージと緊急システム情報メッセージとを受信するように構成されうる。緊急システム情報メッセージはセグメント化され、非緊急システム情報メッセージとインタリーブ又はオーバラップされる。ＷＴＲＵはさらに、緊急情報メッセージを処理するように構成されうる。
【０００８】
さらに詳しい理解は、添付の図面と共に例示により提供される以下の記載から得られる。
【図面の簡単な説明】
【０００９】
【図１】従来技術によるＥ−ＵＴＲＡＮの概要を示す図である。
【図２】一実施形態による複数のＷＴＲＵ及びｅＮＢを含む例示的無線通信システムを示す図である。
【図３】図２のＷＴＲＵ及びｅＮＢのブロック図である。
【図４】一実施形態による非オーバラッピング緊急ＳＩメッセージ送信の方法を示す図である。
【図５】他の実施形態による緊急ＳＩメッセージのオーバラッピング送信の方法を示す図である。
【発明を実施するための形態】
【００１０】
以下で言及されるとき限定はしないが、用語「無線送受信ユニット（ＷＴＲＵ）」は、ユーザ機器（ＵＥ）、移動局、固定若しくは移動加入者ユニット、ページャ、携帯電話、パーソナルデジタルアシスタント（ＰＤＡ）、コンピュータ、又は無線環境で動作可能な他のいかなるタイプのユーザ装置を含む。以下で言及されるとき限定はしないが、用語「基地局」は、ノードＢ、サイトコントローラ、アクセスポイント（ＡＰ）、又は無線環境で動作可能な他のいかなる種類のインタフェースデバイスをも含む。
【００１１】
図２は、複数のＷＴＲＵ２１０及びｅノードＢ（ｅＮＢ）２２０を含む無線通信システム２００を示す。図２に示すように、ＷＴＲＵ２１０はｅＮＢ２２０と通信する。３つのＷＴＲＵ２１０及び１つのｅＮＢ２２０が図２に示されているが、無線及び有線装置の任意の組み合わせが無線通信システム２００に含まれうることに留意すべきである。
【００１２】
図３は、図２の無線通信システム２００のＷＴＲＵ２１０及びｅＮＢ２２０の機能ブロック図３００である。図２に示されているように、ＷＴＲＵ２１０はｅＮＢ２２０と接続されている。ＷＴＲＵ２１０は緊急及び非緊急のＳＩメッセージを受信及び処理するように構成されている。
【００１３】
典型的なＷＴＲＵに見られる要素に加えて、ＷＴＲＵ２１０はプロセッサ３１５、受信機３１６、送信機３１７、及びアンテナ３１８を含む。ＷＴＲＵ２１０はユーザインタフェース３２１も含むことができ、ユーザインタフェース３２１は、限定はしないが、ＬＣＤ若しくはＬＥＤスクリーン、タッチスクリーン、キーボード、スタイラス、又は他のいかなる代表的な入出力デバイスを含むことができる。ＷＴＲＵ２１０は揮発性及び不揮発性のメモリ３１９、並びにＵＳＢポート及びシリアルポートなどの他のＷＴＲＵのポートへのインタフェース３２０も含みうる。受信機３１６及び送信機３１７はプロセッサ３１５との通信を行う。アンテナ３１８は受信機３１６及び送信機３１７の双方と通信を行い、無線データの送信及び受信を行う。
【００１４】
典型的なｅＮＢに見られる要素に加えて、ｅＮＢ２２０はプロセッサ３２５、受信機３２６、送信機３２７、及びアンテナ３２８を含む。受信機３２６及び送信機３２７はプロセッサ３２５と通信する。アンテナ３２８は受信機３２６及び送信機３２７の両方と通信を行い、無線データの送信及び受信を容易にする。ｅＮＢ２２０は緊急及び非緊急のＳＩメッセージを送信及び処理するように構成されている。
【００１５】
自然災害又は人為的災害は無線電話サービスのサービスエリア内で発生しうる。特定のサービングセルエリアに位置するユーザは即時の情報及び／又は避難を求めるかもしれない。もしそうであれば、緊急システム情報メッセージを用いて、影響するエリアのユーザに例えば避難情報などの緊急命令及び情報を送信することができる。緊急システム情報メッセージを用いて、緊急事態が発生している避難エリア付近のユーザに通知し、及びその緊急事態によって直接的に影響を受けないエリアに位置するユーザであるが、その災害に関する最新情報を必要とするかもしれないユーザに通知することもできる。
【００１６】
システム情報は緊急情報インジケータを含むことができる。緊急情報インジケータは、例えば、フラグ、特定のビット又は複数ビットの文字列であり、ＷＴＲＵによって受信された緊急情報の種類を示しうる。緊急情報インジケータは、例えば、隣接セルリスト又はブロックリストのセルエントリに配置されうる。
【００１７】
緊急情報は、災害への対処を可能とするために、非緊急情報よりも大きなデータ帯域幅、すなわち、より多くのリソースブロックを要求することができる。緊急情報が比較的大きなサイズであることにより、ＷＴＲＵは必要な緊急情報を受信するためにより大きなリソースを要求しうる。緊急情報インジケータはシステム情報で搬送され、システム情報は例えば物理ダウンリンク共有チャネル（ＰＤＳＣＨ）などのダウンリンク共有チャネルで搬送される。ＰＤＳＣＨに対するリソースは物理ダウンリンク制御チャネル（ＰＤＣＣＨ）などのダウンリンクコントロールチャネルで搬送される。緊急情報のためのリソーススケジューリングは、緊急情報のサイズが比較的大きいため、非緊急情報に対して要求されるスケジューリングとは異なってもよい。これにより非緊急情報リソーススケジューリングに使用されるナンバースケール表現又はフォーマットとは異なるものを使用することを要求してもよい。
【００１８】
従って、特別なＥＴＷＳ無線ネットワーク一時識別子（ＥＴＷＳ＿ＲＮＴＩ）が緊急情報通知で使用され、緊急情報通知を搬送するシステム情報ブロック（ＳＩＢ）を読み取るためのＰＤＳＣＨリソースを取得するために使用されうる。無線ネットワーク一時識別子（ＲＮＴＩ）は、無線リソース制御（ＲＲＣ）が存在するときにＷＴＲＵを特定するために使用され、又はＲＮＴＩは全てのＷＴＲＵが利用可能な特別なネットワークサービス情報を特定するために使用されうる。ＥＴＷＳ＿ＲＮＴＩは、検索のためにネットワーク又はパブリックな緊急情報が利用可能である全てのＷＴＲＵを特定するために使用されうる。緊急情報は一次の通知及び二次の通知でブロードキャストされうるので、ＥＴＷＳ＿ＲＮＴＩは一次のＥＴＷＳ通知がオンであるときに緊急情報を受信するために使用でき、ＥＴＷＳ＿ＲＮＴＩは他のＲＮＴＩ信号処理より高い優先度とすることができる。
【００１９】
非緊急ＳＩＢ送信は周期的である。緊急情報ＳＩＢ送信も所定の周期（ＴETWS-SI）を有することができる。周期を少なくとも例えば、１２８又は２５６フレームとして、送信がより容易になりかつ潜在的な再送信セグメントに適合するようにする。さらに、緊急情報ＳＩ送信は、否定応答（ＮＡＣＫ）信号を待つことなく重複する情報を自動的に送信する自発的再送信機構を採用することで、各ＷＴＲＵが緊急情報ＳＩＢをある定義された周期で確実に受信できるようにする。
【００２０】
非緊急ＳＩメッセージは動的スケジューリングを用いて、周期的に発生する時間領域窓内で送信される。各ＳＩメッセージはＳＩ−窓に関連付けられる。異なるＳＩメッセージを含むＳＩ−窓はオーバラップしない。すなわち、１つのＳＩ−窓内で対応するＳＩメッセージのみが送信される。ＳI−窓の長さは全てのＳＩメッセージに対して共通であり、変更可能である。ＳI−窓内で、対応するＳＩメッセージを多数回いずれかのサブフレーム中で送信することができる。ＷＴＲＵは詳細時間及び周波数領域スケジューリングをＰＤＣＣＨのＳＩ−ＲＮＴＩのデコードにより取得できる。
【００２１】
一実施形態において、緊急ＳＩメッセージは、ノンオーバーラッピング法で、つまり、緊急ＳＩメッセージ及び非緊急ＳＩメッセージが同時に送信されない方法でスケジュールされうる。ノンオーバーラッピング緊急ＳＩメッセージ送信は、非緊急ＳＩメッセージ送信と同様に、同時にスケジュールされ、セグメントとしてインタリーブされうる。緊急ＳＩメッセージは、非緊急ＳＩ送信窓長よりそれほど大きくはない比較的小さな連続的サブフレームで搬送される。緊急ＳＩメッセージの送信は次の式に従ってスケジュールされうる。  
ＳＦＮ  ｍｏｄ  ＴETWS-SI＝０  かつ  Ｘ＝（ｎ−１）＊Ｙ    式（１）
【００２２】
ここで、ＴETWS-SIは緊急ＳＩメッセージの周期性、Ｘは非緊急ＳＩメッセージのオフセット、ｎは非緊急ＳＩメッセージの個数、Ｙは非緊急ＳＩメッセージの周期性である。
【００２３】
緊急ＳＩ情報メッセージを非緊急ＳＩメッセージの終わりに配置することができる。あるいはまた、緊急ＳＩメッセージを非緊急メッセージの初め又は中間に配置することができる。緊急ＳＩメッセージの位置は、例えばＳＩＢ−１などのシステム情報ブロックでＷＴＲＵに信号通知されうる。オフセット（ＸETWS-SIとして示されるＥＴＷＳ＿Ｏｆｆｓｅｔ）は緊急ＳＩメッセージに適用されうる。ＥＴＷＳ＿Ｏｆｆｓｅｔは非緊急ＳＩメッセージをオーバラッピングさせることなく緊急ＳＩメッセージを送信することを可能にする。  
ＳＦＮ  ｍｏｄ  ＴETWS-SI＝ＸETWS-SI    式（２）
【００２４】
ここで、ＸETWS-SIは緊急ＳＩメッセージに対するフレームオフセット［０，．．．，Ｐ］、Ｐは全てのＳＩの中で最も短い周期性である。ＸETWS-SIをネットワークから通知することができる。
【００２５】
図４は一実施形態に従うノンオーバーラッピング緊急ＳＩメッセージ送信４００の方法を示す。緊急ＳＩメッセージ４０２は非緊急ＳＩメッセージ４０４の後に送信される。
【００２６】
あるいはまた、緊急ＳＩメッセージを非緊急ＳＩメッセージが開始するまで送信してもよい。オフセットは要求されない。非緊急ＳＩメッセージポイントに達したあと、より多くの緊急ＳＩメッセージが送信される場合、残りの緊急ＳＩメッセージを非緊急ＳＩメッセージの合間に複数のセグメントとして送信することができる。緊急ＳＩメッセージセグメントは非緊急ＳＩメッセージを含まないＴETWS-SI期間のサブフレーム中で送信されうる。ＷＴＲＵは、どのサブフレームを使用するかについての表示を含む信号を例えばｅＮｏｄｅＢなどのネットワークノードから受信することができる。当該表示は例えばビットマップであるかもしれない。あるいはまた、ＷＴＲＵは例えばＳＩＢ−１などの一次のＥＴＷＳ通知メッセージ又はＳＩＢにおいて表示を受信することができる。
【００２７】
より多くの周波数スペクトル帯域幅又はリソースブロック（ＲＢ）が割り当てられ緊急ＳＩメッセージを送信可能である場合、緊急ＳＩメッセージに対するＴｘ窓サイズ（ＹETWS-SI）は、非緊急ＳＩメッセージのＴｘ窓サイズ（Ｙ）に等しいかそれより短い。ＹETWS-SIを、例えば、ＳＩＢ−１などのＳＩＢにおいて信号通知及び送信することができる。一次のＥＴＷＳ通知が起動されているときのみ信号通知されても、常にＳＩＢの一部であってもよい。あるいは、ＹETWS-SIは一次のＥＴＷＳ通知メッセージ中で送信されても、システム情報の変更が近づいていることを示すために使用されるページングメッセージ中で送信されてもよい。
【００２８】
緊急ＳＩメッセージが非緊急ＳＩメッセージの開始又は中間で送信されるようにスケジュールされ、かつ、ＹETWSーSIがＹと同じでない場合、その後オフセットＸ＝（ｎ−１）＊Ｙは次のように計算することができる。  
ＥＴＷＳ  ＳＩのｎ’の前のｎに対して、Ｘ＝（ｎ−２）＊Ｙ
ｎ’の後のｎに対して、Ｘ＝（ｎ’−２）＊Ｙ＋ＹETWS-SI＋（ｎ−ｌ−ｎ’）＊Ｙ
【００２９】
他の実施形態において、緊急ＳＩメッセージは非緊急ＳＩメッセージとオーバラップされてブロードキャストされうる。これは、ＷＴＲＵは非緊急信号も受信する一方で、予期された大きさのボリュームの緊急データが、緊急ＳＩメッセージを受信するように構成されたＷＴＲＵによって取り扱われうることを意味する。
【００３０】
緊急ＳＩメッセージの送信は集中していても分散（分配）していてもよい。送信が集中している場合、連続的なサブフレームは、非緊急ＳＩのＴｘ窓サイズであるＹ以上となりうる。緊急ＳＩメッセージのスケジューリングは次の式で定義されるように、非緊急ＳＩメッセージによって制限されなくともよい。
【００３１】
ＳＦＮ  ｍｏｄ  ＴETWS-SI＝ＸETWS-SI
【００３２】
ここで、ＸETWS-SIはフレームオフセット（０，．．．， Ｐ）である。
【００３３】
緊急ＳＩメッセージの送信が分散している場合、緊急ＳＩメッセージを緊急ＳＩメッセージの内容及びサイズに基づいてＳＩＢ及び／又はサブＳＩＢにセグメント化することができる。緊急情報ＳＩ送信ユニットは、各緊急情報の受信発生に対して、送信されたデータの量がＪ＊Ｍに等しくなるように、Ｊ個のＲＢをそれぞれ有するＭ個の連続するサブフレーム（Ｍ及びＪは整数）を使用しても良い。緊急ＳＩメッセージの合計サイズは、もしスケジュールされた場合、任意の再送信リダンダンシーのサイズを含む。受信発生の回数（ＯETWS-IS）はｃｅｉｌｉｎｇ［ＥＴＷＳ−ＳＩの合計サイズ  ｄｉｖ（Ｊ＊Ｍ）］に等しい。Ｊが変数である場合、受信発生の回数はｃｅｉｌｉｎｇ［（ＴETWS-SIｘ１０）  ｄｉｖ  サブフレームにおけるＭ］に等しい。
【００３４】
図５は他の実施形態による緊急ＳＩメッセージのオーバラッピング送信５００の方法を示す。緊急ＳＩメッセージ５０２はセグメントであり、緊急ＳＩメッセージ期間ＴETWS５０６全体に均等に分散されている。緊急ＳＩメッセージ５０２は非緊急ＳＩメッセージ５０４にオーバラップされている。
【００３５】
繰り返す送信発生の間の２つの緊急情報Ｔｘ窓の開始の間の間隔はＥＴＷＳ−ＯＦ（Occasion frame offset）として知られている。サブフレームのユニットにおいて、ＥＴＷＳ−ＯＦ＝(ＴETWS-SI＊１０) ｄｉｖ ＯETWS-ISである。あるいは、ＥＴＷＳ−ＯＦは、ＥＴＷＳ−ＯＦ＊（ＯETWS-IS）＜＝（ＴETWS-SI＊１０）となるように構成されうる。
【００３６】
ＷＴＲＵに対する受信はフレームにおいて生起し、ＳＦＮ  ｍｏｄ  ＴETWS-SI＝ＸETWS-SIで開始し、次の式で定義される。
［ＸETWS-SI，ＸETWS-SI＋ＥＴＷＳ−ＯＦ／１０，ＸETWS-SI＋（２＊ＥＴＷＳ−ＯＦ）／１０，ＸETWS-SI＋（３＊ＥＴＷＳ−ＯＦ）／１０，．．．，ＸETWS-SI＋（ＯETWS-IS−１）＊ＥＴＷＳ−ＯＦ／１０］
それぞれのフレームのサブフレームオフセットは（ｎ＊ＥＴＷＳ−ＯＦ）  ｍｏｄ  １０に等しい。
【００３７】
緊急ＳＩメッセージセグメントは特定のパターンで非緊急トラフィックを介して送信されうる。パターンは、例えばＳＩＢ−１などのＳＩＢで信号送信され、次の式で定義されたフレームで開始しうる。
【００３８】
ＳＦＮ  ｍｏｄ  ＴETWS-SI＝ＸETWS-SI
【００３９】
パターンはＡｘ＋Ｂｙ＋Ｃｚ＋．．．となり得、Ａ，Ｂ，Ｃ，．．．はオフセットｘ、オフセットｙ及びオフセットｚそれぞれの繰り返される発生回数であり、Ａ＋Ｂ＋Ｃ＞＝ＯETWS-ISである。例えば、信号配信はＡ＝３，Ｂ＝１，Ｃ＝５，ｘ＝２４，ｙ＝４０，ｚ＝３８を示しうる。これは、開始から発生グループＡで３つの送信発生があるだろうということを示している。発生グループＡにおける第２の発生の開始は第１の発生の開始から２４サブフレームである。発生グループＢに１つの発生があり、それは発生グループＡの最後の発生の開始から４０サブフレームであり、発生グループＣの５つの発生は最後の発生の開始から各３８サブフレームである。分散がパターン化されていると仮定すると、１つのＥＴＷＳ−ＲＮＴＩは全ての緊急ＳＩメッセージ受信発生及びリソースブロック（ＲＢ）割り当てを記述できるようにしてもよい。一次のＥＴＷＳ通知がオンである場合のみ使用される。
【００４０】
ＥＴＷＳ−ＳＩリソースを記述するためのＰＤＣＣＨフォーマットは、現在、ランダムアクセスチャネル（ＲＡＣＨ）レスポンス、ページング、及び専用ブロードキャストチャネル（Ｄ−ＢＣＨ）の通知に使用されているＰＤＣＣＨフォーマット１Ｃに似たフォーマットにすることができる。ＥＴＷＳ−ＳＩに使用されるＰＤＣＣＨフォーマットはＰＤＤＣＨの巡回冗長検査（ＣＲＣ）のＥＴＷＳ−ＲＮＴＩを拡大する。従って、ＵＥがＰＤＣＣＨをデコードするとき、ＥＴＷＳ−ＲＮＴＩにＰＤＣＣＨが扱われているかを確認することができる。
【００４１】
実施形態
【００４２】
１．緊急信号を無線送受信ユニット（ＷＴＲＵ）に提供する方法であって、緊急メッセージ通知を含むシステム情報メッセージを受信するステップと、緊急システム情報メッセージを受信するステップであって、前記緊急システム情報メッセージはセグメント化されインタリーブされており、非緊急システム情報メッセージにオーバラップしている、ステップと、前記緊急システム情報メッセージを処理するステップとを備える方法。
【００４３】
２．前記緊急情報メッセージの送信窓サイズを受信するステップをさらに備える実施形態１に記載の方法。
【００４４】
３．緊急無線ネットワーク一時識別子（ＲＮＴＩ）を受信するステップをさらに備える実施形態１又は２に記載の方法。
【００４５】
４．前記セグメント化されたシステム情報メッセージは緊急システム情報送信期間の全体に均等に分散されている実施形態１から３のいずれか１つに記載の方法。
【００４６】
５．緊急信号を無線送受信ユニット（ＷＴＲＵ）に提供する方法であって、緊急メッセージ通知を含むシステム情報メッセージを受信するステップと、緊急システム情報メッセージを受信するステップであって、前記緊急システム情報メッセージは非緊急システム情報メッセージの合間に配置されており前記非緊急システム情報メッセージと同時に受信される、ステップと、前記緊急システム情報メッセージを処理するステップとを備える方法。
【００４７】
６．緊急信号を受信するように構成された無線送受信ユニット（ＷＴＲＵ）であって、緊急メッセージ通知を含むシステム情報メッセージと緊急システム情報メッセージとを受信するように構成された受信機であって、前記緊急システム情報メッセージはセグメント化されインタリーブされており、非緊急システム情報メッセージにオーバラップしている、受信機と、前記緊急情報メッセージを処理するように構成されたプロセッサとを備えるＷＴＲＵ。
【００４８】
７．前記受信機は前記緊急情報メッセージの送信窓サイズを受信するようにさらに構成されている実施形態６に記載のＷＴＲＵ。
【００４９】
８．前記受信機は緊急無線ネットワーク一時識別子（ＲＮＴＩ）を受信するようにさらに構成されている実施形態６又は７に記載のＷＴＲＵ。
【００５０】
９．前記セグメント化されたシステム情報メッセージは緊急システム情報送信期間の全体に均等に分散されている実施形態６から８のいずれか１つに記載のＷＴＲＵ。
【００５１】
１０．緊急信号を受信するように構成された無線送受信ユニット（ＷＴＲＵ）であって、緊急メッセージ通知を含むシステム情報メッセージと緊急システム情報メッセージとを受信するように構成された受信機であって、前記システム情報メッセージは非緊急システム情報メッセージの合間に配置されており、前記システム情報メッセージは前記非緊急システムの全体に配置されている、受信機と、前記緊急情報メッセージを処理するように構成されたプロセッサとを備えるＷＴＲＵ。
【００５２】
特徴及び要素が具体的な組み合わせで上述されたが、各特長及び要素は他の特徴若しくは要素を有さずに単独で、又は他の特徴及び要素を有した若しくは有さない様々な組み合わせで使用されうる。ここの提供された方法又はフローチャートは、汎用コンピュータ又はプロセッサによる実行のためのコンピュータ可読記録媒体に組み込まれたコンピュータプログラム、ソフトウェア、又はファームウェアで実装されうる。コンピュータ可読記録媒体の例には、リードオンリーメモリ（ＲＯＭ）、ランダムアクセスメモリ（ＲＡＭ）、レジスター、キャッシュメモリ、半導体メモリデバイス、内蔵ハードディスク若しくはリムーバブルディスクなどの磁気媒体、磁気光学媒体、及びＣＤ−ＲＯＭディスク若しくはデジタル多目的ディスク（ＤＶＤ）などの光学媒体が含まれる。
【００５３】
適したプロセッサには、例として、汎用プロセッサ、特定目的プロセッサ、慣例のプロセッサ、デジタルシグナルプロセッサ（ＤＳＰ）、複数のマイクロプロセッサ、ＤＳＰコアに関連付けられた１つ又は複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、及び／又は状態マシンが含まれる。
【００５４】
ソフトウェアと共にプロセッサが使用され、無線送受信ユニット（ＷＴＲＵ）、ユーザ装置（ＵＥ）、端末、基地局、無線ネットワークコントローラ（ＲＮＣ）又は任意のホストコンピュータでの使用のための無線周波数受信機を実装しうる。ＷＴＲＵはモジュールと共に使用され、カメラ、ビデオカメラモジュール、ビデオ電話、スピーカフォン、バイブレーションデバイス、スピーカ、マイクロフォン、テレビ受信機、ハンズフリーヘッドセット、キーボード、Bluetooth（登録商標）モジュール、周波数変調（ＦＭ）無線ユニット、液晶ディスプレイ（ＬＣＤ）ディスプレイユニット、有機発光ダイオード（ＯＬＥＤ）ディスプレイユニット、デジタルミュージックプレーヤ、メディアプレーヤ、ビデオゲームプレーヤモジュール、インターネットブラウザ、及び／又は任意の無線ローカルエリアネットワーク（ＷＬＡＮ）若しくはウルトラワイドバンド（ＵＷＢ）モジュールなどの、ハードウェア及び／又はソフトウェアで実装されうる。
【図１】
0006453835.tif 000002
【図２】
0006453835.tif 000003
【図３】
0006453835.tif 000004
【図４】
0006453835.tif 000005
【図５】
0006453835.tif 000006